(57)【要約】【課題】指針式計量メーターの安全指示用マーク付加構造である複合移動式警告標示調整マークの指針式メーター面構造を提供する。【解決手段】複合移動式警告標示調整マークの指針式メーター面構造は、移動式指示マーク33で、マーク33は掛けて設置する方式で微差圧計或いは圧力メーターのメーター面に設置し、これにより臨界数値を明示でき、人員は指針21が臨界数値を超えていないかどうかを目視で判読でき、メーター面の透明殼体3縁辺に、予めスライドレール31を設置し、スライドレール31において、マーク33は係合され、さらにスライド移動或いは定位が可能で、マーク33断面はほぼ、「Ｃ」字状を呈し、スライドレール31に相対して緊密に固定する作用を形成することができる。【選択図】図１
0003167996.tif 000002
【実用新案登録請求の範囲】
【請求項１】
複合移動式警告標示調整マークの指針式メーター面構造は、指針式メーター面で、指針台、透明殼体を備え、
前記指針台は、指針を備え、前記指針は、軸心により弧状運動を行い、目盛り板に対応して数値を表示し、
前記透明殼体は、前記指針台外に重ねてこれを覆い、前記透明殼体中の少なくとも指針運動の範囲には、スライドレールを設置し、前記スライドレールに、マークを係合し、移動させることができることを特徴とする複合移動式警告標示調整マークの指針式メーター面構造。
【請求項２】
前記指針台の指針は、軸心により弧状揺動を行い、
前記スライドレールは、前記軸心に相対して、等距離で弧状に設置することを特徴とする請求項１に記載の複合移動式警告標示調整マークの指針式メーター面構造。
【請求項３】
前記スライドレールは、前記透明殼体の縁辺に設置することを特徴とする請求項１に記載の複合移動式警告標示調整マークの指針式メーター面構造。
【請求項４】
前記スライドレールは、前記スライド槽に重ねて設置することを特徴とする請求項１に記載の複合移動式警告標示調整マークの指針式メーター面構造。
【請求項５】
前記マークは、「Ｃ」字状を呈し、第一板体、第二板体、第三板体を備え、
前記第一板体と前記第三板体とは、前記スライドレール上、下両側を挟み、
前記第二板体は、前記第一板体と前記第三板体との間に連接することを特徴とする請求項１或いは４に記載の複合移動式警告標示調整マークの指針式メーター面構造。
【請求項６】
前記第一板体と前記第三板体との間の距離は、前記スライドレールの厚みよりやや小さいことが好ましいことを特徴とする請求項５に記載の複合移動式警告標示調整マークの指針式メーター面構造。
【請求項７】
前記第一板体と前記第三板体とは、非平行関係を呈し、
前記第一板体と前記第三板体末外端との間の距離は、両者内端の間隔距離より小さいことを特徴とする請求項５に記載の複合移動式警告標示調整マークの指針式メーター面構造。
【請求項８】
前記マークは、彩色することが好ましいことを特徴とする請求項１に記載の複合移動式警告標示調整マークの指針式メーター面構造。
【考案の詳細な説明】
【技術分野】
【０００１】
本考案は複合移動式警告標示調整マークの指針式メーター面構造に関し、特に指針式計量メーターの安全指示用マーク付加構造で、マークをパネルの透明殼体に付加する複合移動式警告標示調整マークの指針式メーター面構造に関する。
【背景技術】
【０００２】
微差圧計、或いは圧力メーターなどの従来の計量メーターにおいて、メーター内には、指示針を備える。
指示針は、圧力の状態に応じて回転し、メーター内の数字目盛り板に対応し、これにより人員は目視して数値を読み取ることができる。
実務上、計量メーターには、安全数値が設定されており、指示針が安全範囲内にあるかどうかを、人員が分かるように、計量メーター上には、安全マークが加えられている。
【０００３】
しかし、本考案人は、以下の問題を発見した。
すなわち、従来のマークは、計量メーター外縁に固定されているが、各計量メーターを設置する場所に、嵌合方式を採用しなければならない時（たとえば、設備のプラットフォーム上に孔を開け、そこに計量メーターを埋設しなければならない）には、従来の構造では、計量メーター周縁が完全にプラットフォームと緊密に対応しているため、マークを付加することができない。
本考案は、従来の複合移動式警告標示調整マークの指針式メーター面構造の上記した欠点に鑑みてなされたものである。
【考案の概要】
【考案が解決しようとする課題】
【０００４】
本考案が解決しようとする第一の課題は、安全指示マークを改良し、その警告標示用調整マークは、透明殼体範囲内に設置され、調整マークは、計量メーター円周を超過することはなく、こうして嵌合設置方式を採用して計量メーターを設置しても、調整マークを付加でき、しかも便利に使用できる複合移動式警告標示調整マークの指針式メーター面構造を提供することである。
【課題を解決するための手段】
【０００５】
上記課題を解決するため、本考案は下記の複合移動式警告標示調整マークの指針式メーター面構造を提供する。
複合移動式警告標示調整マークの指針式メーター面構造は、計量メーターのメーター面の透明殼体縁辺に、予めスライドレールを設置し、該スライドレールには、該マークを係合でき、スライド移動、或いは定位が可能で、
該マークは、側面から見るとほぼ「Ｃ」字状を呈し、該スライドレールに相対して緊密に固定する作用を形成することができ、
該マークは、第一板体、第二板体、第三板体が連続して湾曲して構成し、
該第一板体と該第三板体との間は、非平行関係を呈し、該第一板体と該第三板体末外端との間の距離は、両者内端の間隔距離より小さく、
該スライドレール下方には、スライド槽を形成し、該スライド槽に、該マークの第三板体を収容設置でき、
該スライドレールと該マークを付加して嵌合する時、該マークの第一板体は、該スライドレール頂部に位置し、該第二板体は、該スライドレール外側縁に位置し、該第三板体は、該スライドレール底部に位置し、該第一板体と該第三板体を利用して、該スライドレールを挟んで固定する作用を達成し、
好ましくは、目視の便のため、該マークは、赤色などに彩色し、
好ましくは、該マークの目視の便のため、該第一板体は、尖った端部を備える。
【考案の効果】
【０００６】
本考案の複合移動式警告標示調整マークの指針式メーター面構造は、安全指示マークを改良し、その警告標示用調整マークは、透明殼体範囲内に設置され、調整マークは、計量メーター円周を超過することはなく、こうして嵌合設置方式を採用して計量メーターを設置しても、調整マークを付加でき、しかも便利に使用できる。
【図面の簡単な説明】
【０００７】
【図１】本考案の立体分解図である。
【図２】本考案の断面構造図である。
【図３】本考案の使用状態図である。
【図４】本考案別種の実施例の立体分解図である。
【図５】本考案別種の実施例の断面構造図である。
【図６】本考案別種の実施例の使用状態図である。
【考案を実施するための形態】
【０００８】
以下に図面を参照しながら本考案を実施するための最良の形態について詳細に説明する。
【実施例】
【０００９】
図１、２に示すように、本考案複合移動式警告標示調整マークの指針式メーター面構造は、メーター台1、指針台2、透明殼体3を備える。
【００１０】
メーター台1と指針台2とは、他のパーツを組合せ後、指針式計量メーターを構成する。
指針式計量メーターは、圧力メーター、或いは微圧差メーターを含むが、これに限定しない。
指針台2中には、指針21を設置し、軸心20により、弧状運動を行い、こうして目盛り板22に対応して数値を表示する。
【００１１】
透明殼体3は、透明状で、指針台2上に組合わせる。
透明殼体3縁辺は少なくとも、指針21が運動可能な延伸範囲に、スライドレール31を設置する。
スライドレール31は、透明殼体3の縁辺に沿って設置し、これによりスライドレール31は、軸心20に相対し、等距離弧状に設置され、しかもスライドレール31には、スライド槽32を重ねて設置する。
スライドレール31には、マーク33を係合する。
マーク33はほぼ、「Ｃ」字状を呈し、構造中には、第一板体、第二板体、第三板体を備える。
第一板体331と第三板体333は、スライドレール31の上、下両側を挟み、第二板体332は、第一板体331と第三板体333との間に連接する。
第一板体331と第三板体333との間の距離は、スライドレール31の厚みよりやや小さいことが好ましい。
マーク33そのものの構造はやや弾性を備えるため、マーク33をスライドレール31に係合する時、確実に係合作用を生じることができる。
【００１２】
図２、３に示すように、本考案の実施時には、マーク33を、スライドレール31側辺に係合し、マーク33の係合作用を利用して、マーク33は、スライドレール31において移動でき、しかも離脱しにくい。
これにより、マーク33を必要な目盛り位置に移動し、その構造力を利用して定位後は、指針21が標定値を超過していないかどうかを判読する警告標示用に用いることができる。
【００１３】
図４、５、６に示す別種の実施例では、マーク33の第一板体334を、上記した実施例より長くし、判読の便を図る。
本考案の構造は、マーク33を、完全にメーター面の円周範囲内に設置するため、計量メーターを埋設する方式で嵌設し、周囲と密接状態を呈する場合に便利である。
これにより、本考案のマーク33は同様に実施され、従来の構造における設置の制限を克服することができる。
【００１４】
上記の本考案名称と内容は、本考案技術内容の説明に用いたのみで、本考案を限定するものではない。本考案の精神に基づく等価応用或いはいは部品（構造）の転換、置換、数量の増減はすべて、本考案の保護範囲に含むものとする。
【産業上の利用可能性】
【００１５】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１６】
1     メーター台
2     指針台
20    軸心
21    指針
22    目盛り板
3     透明殼体
31    スライドレール
32    スライド槽
33    マーク
331   第一板体
332   第二板体
333   第三板体
334   第一板体
【図１】
0003167996.tif 000003
【図２】
0003167996.tif 000004
【図３】
0003167996.tif 000005
【図４】
0003167996.tif 000006
【図５】
0003167996.tif 000007
【図６】
0003167996.tif 000008